(57)【要約】【課題】性能の向上を図る上で有利な光ピックアップおよび光ディスク装置を提供する。【解決手段】第１、第２の光源４８Ａ、４８Ｂから出射され互いに波長が異なる第１、第２の光ビームの偏光方向がダイクロイックプリズム５２の薄膜５２０２に対してＰ偏光となるため、薄膜５２０２を透過あるいは反射された光ビームに対して位相差が付与されず、したがって、位相差ミラー５８による直線偏光から円偏光への変換と、円偏光から直線偏光への変換が確実に行われ、光源から出射される光ビームの偏光方向と戻り光の偏光方向とがなす角度を確実に９０度とすることができる。【選択図】図３
2008305525.tif 000002
【特許請求の範囲】
【請求項１】
第１の波長を有する直線偏光の第１の光ビームを出射する第１の光源と、
前記第１の波長と異なる第２の波長を有する直線偏光の第２の光ビームを出射する第２の光源と、
前記第１、第２の光源を選択的に駆動する駆動手段と、
前記第１の光源から出射された第１の光ビームが光ディスクに至る第１の光路と、
前記第２の光源から出射された第２の光ビームが前記光ディスクに至る第２の光路とを備え、
前記第１、第２の光路は、それら光路の途中で交差すると共にその交差した箇所から前記光ディスクに至るまでそれら第１の光路と第２の光路とが合わさった第３の光路を有し、
前記第１の光路と前記第２の光路とが交差した箇所に光路合成用光学素子が設けられ、
前記第３の光路に、所定の反射率で光を反射しかつ所定の透過率で光を透過する光路分離用光学素子が設けられ、
前記第３の光路で、前記光路分離用光学素子と前記光ディスクとの間に、前記第１、第２の光ビームに所定の位相差を付与する位相差付与用光学素子が設けられ、
前記光ディスクで反射され前記位相差付与用光学素子を通過したのち前記光路分離用光学素子を透過した前記第１、第２の光ビームを受光する受光素子が設けられ、
前記位相差付与用光学素子に入射される前記第１、第２の光ビームの双方の偏光方向がＰ偏光とＳ偏光との中間の角度となるように構成された光ピックアップであって、
前記光路合成用光学素子に入射される前記第１、第２の光ビームの双方がＰ偏光またはＳ偏光となるように、前記第１、第２の光源と前記光路合成用光学素子が配置されている、
ことを特徴とする光ピックアップ。
【請求項２】
前記第１の光源から出射された前記第１の光ビームが前記光路合成用光学素子に至る第１の光路部分の光軸と、前記第２の光源から出射された前記第２の光ビームが前記光路合成用光学素子に至る第２の光路部分の光軸とは直交しあるいは所定角度で交差している、
ことを特徴とする請求項１記載の光ピックアップ。
【請求項３】
前記光ディスクで反射された前記第１、第２の光ビームは、前記光ディスクから前記光路分離用光学素子まで前記第３の光路部分を通り、かつ、前記光路分離用光学素子を透過したのち第４の光路を通って前記受光素子に導かれ、
前記第１の光源から前記位相差付与用光学素子に至る前記第１の光路部分と、前記第４の光路とが同一平面上に位置し、
前記第２の光源から出射された前記第２の光ビームが前記光路合成用光学素子に至る第２の光路部分が前記平面に対して交差している、
ことを特徴とする請求項１記載の光ピックアップ。
【請求項４】
前記光ディスクで反射された前記第１、第２の光ビームは、前記光ディスクから前記光路分離用光学素子まで前記第３の光路部分を通り、かつ、前記光路分離用光学素子を透過したのち第４の光路を通って前記受光素子に導かれ、
前記第１の光源から前記位相差付与用光学素子に至る前記第１の光路部分と、前記第４の光路とが同一平面上に位置し、
前記第２の光源から出射された前記第２の光ビームが前記光路合成用光学素子に至る第２の光路部分が前記平面に対して４５度の角度で交差している、
ことを特徴とする請求項１記載の光ピックアップ。
【請求項５】
前記光ディスクで反射された前記第１、第２の光ビームは、前記光ディスクから前記光路分離用光学素子まで前記第３の光路部分を通り、かつ、前記光路分離用光学素子を透過したのち第４の光路を通って前記受光素子に導かれ、
前記第１の光源から前記位相差付与用光学素子に至る前記第１の光路部分と、前記第４の光路とが同一平面上に位置し、
前記第２の光源から出射された前記第２の光ビームが前記光路合成用光学素子に至る第２の光路部分が前記平面に対して交差し、
前記第２の光源は前記第１の光源よりも前記光ディスクに近い箇所に位置している、
ことを特徴とする請求項１記載の光ピックアップ。
【請求項６】
前記第２の光源は、レーザダイオードのチップと、前記チップを収容保持するパッケージとを有し、
前記パッケージは、前記光ディスクの回転に伴って発生する空気流が当たる箇所に設けられている、
ことを特徴とする請求項５記載の光ピックアップ。
【請求項７】
前記第２の光源は、レーザダイオードのチップと、前記チップを収容保持するパッケージと、前記パッケージに設けられ前記チップに駆動信号を供給するための接続端子とを有し、
前記パッケージおよび前記接続端子は、前記光ディスクの回転に伴って発生する空気流が当たる箇所に設けられている、
ことを特徴とする請求項５記載の光ピックアップ。
【請求項８】
前記駆動手段は、前記第２の光源に駆動信号を供給するドライバを含んで構成され、
前記ドライバは、前記第１の光源と前記光ディスクとの間に配置された基板に実装され、
前記第２の光源は前記ドライバに近接した箇所に配置されている、
ことを特徴とする請求項５記載の光ピックアップ。
【請求項９】
前記光路合成用光学素子はダイクロイックプリズムで構成されている、
ことを特徴とする請求項１記載の光ピックアップ。
【請求項１０】
前記光路分離用光学素子はビームスプリッタプレートまたはビームスプリ
ッタプリズムで構成されている、
ことを特徴とする請求項１記載の光ピックアップ。
【請求項１１】
前記位相差付与用光学素子は位相差ミラーまたは１／４波長板で構成されている、
ことを特徴とする請求項１記載の光ピックアップ。
【請求項１２】
前記光路分離用光学素子はＰ偏光およびＳ偏光の一方を反射し他方を透過する偏光ビームスプリッタで構成され、
前記光路分離用光学素子は、前記光路合成用光学素子を通過して入射する前記第１、第２の光ビームの偏光方向がＰ偏光およびＳ偏光の一方となり、かつ、前記位相差付与用光学素子を通過して入射する前記第１、第２の光ビームの偏光方向がＰ偏光およびＳ偏光の他方となるように配置されている、
ことを特徴とする請求項１記載の光ピックアップ。
【請求項１３】
光ディスクを保持して回転駆動する駆動手段と、
前記駆動手段によって回転駆動する光ディスクに対し記録および／または再生用の光ビームを照射し、前記光ディスクで反射された反射光ビームを検出する光ピックアップとを有する光ディスク装置であって、
前記光ピックアップは、
第１の波長を有する直線偏光の第１の光ビームを出射する第１の光源と、
前記第１の波長と異なる第２の波長を有する直線偏光の第２の光ビームを出射する第２の光源と、
前記第１、第２の光源を選択的に駆動する駆動手段と、
前記第１の光源から出射された第１の光ビームが光ディスクに至る第１の光路と、
前記第２の光源から出射された第２の光ビームが前記光ディスクに至る第２の光路とを備え、
前記第１、第２の光路は、それら光路の途中で交差すると共にその交差した箇所から前記光ディスクに至るまでそれら第１の光路と第２の光路とが合わさった第３の光路を有し、
前記第１の光路と前記第２の光路とが交差した箇所に光路合成用光学素子が設けられ、
前記第３の光路に、所定の反射率で光を反射しかつ所定の透過率で光を透過する光路分離用光学素子が設けられ、
前記第３の光路で、前記光路分離用光学素子と前記光ディスクとの間に、前記第１、第２の光ビームに所定の位相差を付与する位相差付与用光学素子が設けられ、
前記光ディスクで反射され前記位相差付与用光学素子を通過したのち前記光路分離用光学素子を透過した前記第１、第２の光ビームを受光する受光素子が設けられ、
前記位相差付与用光学素子に入射される前記第１、第２の光ビームの双方の偏光方向がＰ偏光とＳ偏光との中間の角度となるように構成された光ピックアップであって、
前記光路合成用光学素子に入射される前記第１、第２の光ビームの双方がＰ偏光またはＳ偏光となるように、前記第１、第２の光源と前記光路合成用光学素子が配置されている、
ことを特徴とする光ディスク装置。
【発明の詳細な説明】
【技術分野】
【０００１】
本発明は、複数種類の波長の光を用いて光ディスクに信号の記録や再生を行う光ピックアップおよびそのような光ピックアップを有する光ディスク装置に関する。
【背景技術】
【０００２】
現在、互いに異なる波長の光を用いて記録および／または再生を行う光ディスク、例えば、ＣＤ、ＤＶＤ（Ｄｉｇｉｔａｌ  Ｖｅｒｓａｔｉｌｅ  Ｄｉｓｋ）およびＢＤ（Ｂｌｕ−ｒａｙ  Ｄｉｓｋ）などが提供されており、このような種類の異なる光ディスクを使用可能な光ピックアップが提供されている。
このような光ピックアップの光学系は、波長が異なる複数の光源と、各光源から出射される光ビームを同一の光路を介して光ディスクに導くための光路合成用の光学素子と、光ディスクに光ビームを導くとともに、光ディスクで反射された反射光ビームを受光素子に導く光アイソレータなどを含んで構成されている。
近年、このような光アイソレータとして、対物レンズの直前に配置された立ち上げミラーに位相差膜を形成することで、１／４波長板と同様の機能を持たせた位相差ミラーと、ビームスプリッターとを組み合わせた構成が提案されている（特許文献１参照）。
【特許文献１】特開２００３−９８３５０
【発明の開示】
【発明が解決しようとする課題】
【０００３】
ところで、位相差ミラーで反射される直線偏光の光ビームに対して１／４波長分の位相差を正確に与えるためには、位相差ミラーに入射される直線偏光の偏光方向を正確に所定角度（例えば４５度）傾ける必要がある。したがって、位相差ミラーに対して各光源を該光源から出射される光ビームの光軸周りに所定角度傾ける必要がある。
一方、光路合成用の光学素子は、該光学素子自身が所有する位相差により、それを透過あるいは反射する直線偏光の光ビームの偏光方向がＰ偏光またはＳ偏光からずれている場合、すなわち、前記所定角度傾斜している場合には、透過あるいは反射する光ビームに位相差を与えることになる。
このような位相差が与えられた光ビームが位相差ミラーに入射されると、位相差ミラーで反射された光ビームが円偏光ではなく楕円偏光となり、光アイソレータによる光分離が適切になされず、光源に対する戻り光が生じて光源から出射される光ビームに雑音が発生したり、あるいは、光ディスクに導かれる光ビームの光量が低下したりする不都合が生じ、光ピックアップの性能の向上を図る上で不利がある。
本発明はこのような事情に鑑みなされたもので、その目的は性能の向上を図る上で有利な光ピックアップおよび光ディスク装置を提供することにある。
【課題を解決するための手段】
【０００４】
上記目的を達成するために本発明は、第１の波長を有する直線偏光の第１の光ビームを出射する第１の光源と、前記第１の波長と異なる第２の波長を有する直線偏光の第２の光ビームを出射する第２の光源と、前記第１、第２の光源を選択的に駆動する駆動手段と、前記第１の光源から出射された第１の光ビームが光ディスクに至る第１の光路と、前記第２の光源から出射された第２の光ビームが前記光ディスクに至る第２の光路とを備え、前記第１、第２の光路は、それら光路の途中で交差すると共にその交差した箇所から前記光ディスクに至るまでそれら第１の光路と第２の光路とが合わさった第３の光路を有し、前記第１の光路と前記第２の光路とが交差した箇所に光路合成用光学素子が設けられ、前記第３の光路に、所定の反射率で光を反射しかつ所定の透過率で光を透過する光路分離用光学素子が設けられ、前記第３の光路で、前記光路分離用光学素子と前記光ディスクとの間に、前記第１、第２の光ビームに所定の位相差を付与する位相差付与用光学素子が設けられ、前記光ディスクで反射され前記位相差付与用光学素子を通過したのち前記光路分離用光学素子を透過した前記第１、第２の光ビームを受光する受光素子が設けられ、前記位相差付与用光学素子に入射される前記第１、第２の光ビームの双方の偏光方向がＰ偏光とＳ偏光との中間の角度となるように構成された光ピックアップであって、前記光路合成用光学素子に入射される前記第１、第２の光ビームの双方がＰ偏光またはＳ偏光となるように、前記第１、第２の光源と前記光路合成用光学素子が配置されていることを特徴とする。
また本発明は、光ディスクを保持して回転駆動する駆動手段と、前記駆動手段によって回転駆動する光ディスクに対し記録および／または再生用の光ビームを照射し、前記光ディスクで反射された反射光ビームを検出する光ピックアップとを有する光ディスク装置であって、前記光ピックアップは、第１の波長を有する直線偏光の第１の光ビームを出射する第１の光源と、前記第１の波長と異なる第２の波長を有する直線偏光の第２の光ビームを出射する第２の光源と、前記第１、第２の光源を選択的に駆動する駆動手段と、前記第１の光源から出射された第１の光ビームが光ディスクに至る第１の光路と、前記第２の光源から出射された第２の光ビームが前記光ディスクに至る第２の光路とを備え、前記第１、第２の光路は、それら光路の途中で交差すると共にその交差した箇所から前記光ディスクに至るまでそれら第１の光路と第２の光路とが合わさった第３の光路を有し、前記第１の光路と前記第２の光路とが交差した箇所に光路合成用光学素子が設けられ、前記第３の光路に、所定の反射率で光を反射しかつ所定の透過率で光を透過する光路分離用光学素子が設けられ、前記第３の光路で、前記光路分離用光学素子と前記光ディスクとの間に、前記第１、第２の光ビームに所定の位相差を付与する位相差付与用光学素子が設けられ、前記光ディスクで反射され前記位相差付与用光学素子を通過したのち前記光路分離用光学素子を透過した前記第１、第２の光ビームを受光する受光素子が設けられ、前記位相差付与用光学素子に入射される前記第１、第２の光ビームの双方の偏光方向がＰ偏光とＳ偏光との中間の角度となるように構成された光ピックアップであって、前記光路合成用光学素子に入射される前記第１、第２の光ビームの双方がＰ偏光またはＳ偏光となるように、前記第１、第２の光源と前記光路合成用光学素子が配置されていることを特徴とする。
【発明の効果】
【０００５】
本発明によれば、第１、第２の光ビームの偏光方向が光路合成用光学素子に対してＰ偏光またはＳ偏光となるため、光路合成用光学素子に入射する光ビームに対して位相差が付与されず、したがって、位相差付与用光学素子による直線偏光から円偏光への変換と、円偏光から直線偏光への変換が確実に行われ、第１、第２の光源から出射される光ビームの偏光方向と戻り光の偏光方向とがなす角度を確実に９０度とすることができるので、第１、第２の光源で発生する戻り光ノイズを効果的に抑制する上で有利となる。
【発明を実施するための最良の形態】
【０００６】
（第１の実施の形態）
次に本発明の実施の形態について説明する。
まず、本発明の光ピックアップが組み込まれる光ディスク装置について説明する。
図１は、第１の実施の形態の光ピックアップ１４が組み込まれた光ディスク装置１０の構成を示すブロック図である。
図１に示すように、光ディスク装置１０は、光ディスク２を回転駆動する駆動手段としてのスピンドルモータ１２と、光ピックアップ１４と、光ピックアップ１４をその半径方向に動かす駆動手段としての送りモータ１６とを備えている。ここで、スピンドルモータ１２は、システムコントローラ１８およびサーボ制御部２０により所定の回転数で駆動制御される構成になっている。
【０００７】
信号変復調部およびＥＣＣブロック２２は、信号処理部２４から出力される信号の変調、復調およびＥＣＣ（エラー訂正符号）の付加を行う。光ピックアップ１４は、システムコントローラ１８およびサーボ制御部２０からの指令に従って回転する光ディスク２の信号記録面に対して光ビームを照射する。このような光照射により光ディスク２に対する光信号の記録、再生が行われる。
また、光ピックアップ１４は、光ディスク２の信号記録面からの反射光ビームに基づいて、各種の光ビームを検出し、各光ビームに対応する信号を信号処理部２４に供給できるように構成されている。
本実施の形態では、光ピックアップ１４は、例えば、ＣＤと、ＤＶＤと、ＢＤといったような使用する光ビームの波長が異なる複数種類の光ディスク２に対して、記録および／または再生を行うように構成されている。
【０００８】
信号処理部２４は、各光ビームに対応する検出信号に基づいてサーボ制御用信号、すなわち、後述するフォーカスエラー信号、トラッキングエラー信号、ＲＦ信号、ランニングＯＰＣ処理に必要なモニタ信号（Ｒ−ＯＰＣ信号）、記録時における光ディスクの回転制御を行うために必要なＡＴＩＰ信号などを生成できるように構成されている。また、再生対象とされる記録媒体の種類に応じて、サーボ制御部２０、信号変調部およびＥＣＣブロック２２等により、これらの信号に基づく復調および誤り訂正処理等の所定の処理が行われる。
ここで、信号変調部およびＥＣＣブロック２２により復調された記録信号が、例えばコンピュータのデータストレージ用であれば、インタフェース２６を介して外部コンピュータ２８等に送出される。これにより、外部コンピュータ２８等は光ディスク２に記録された信号を再生信号として受け取ることができるように構成されている。
【０００９】
また、信号変調部およびＥＣＣブロック２２により復調された記録信号がオーディオ・ビジュアル用であれば、Ｄ／Ａ、Ａ／Ｄ変換器３０のＤ／Ａ変換部でデジタル／アナログ変換され、オーディオ・ビジュアル処理部３２に供給される。そして、このオーディオ・ビジュアル処理部３２でオーディオ・ビデオ信号処理が行われ、オーディオ・ビジュアル信号入出力部３４を介して外部の撮像・映写機器に伝送される。
光ピックアップ１４には送りモータ１６が接続され、送りモータ１６の回転によって光ピックアップ１４が光ディスク２上の所定の記録トラックまで移動されるように構成されている。
サーボ制御部２０は、スピンドルモータ１２、送りモータ１６の制御に加えて、フォーカスエラー信号およびトラッキングエラー信号に基づいて光ピックアップ１４の対物レンズ６０（図２）のフォーカシング方向、トラッキング方向の制御を行い、さらに、ラジアルスキューの制御を行なう。
また、レーザ制御部３６は、光ピックアップ１４のレーザ光源を制御するものであり、本実施の形態では、後述するように第１、第２の光源４８Ａ、４８Ｂの双方を制御するものであり、ドライバ４５（図２）を含んで構成されている。言い換えると、レーザ制御部３６は、第１、第２の光源４８Ａ、４８Ｂを選択的に駆動する駆動手段を構成している。
【００１０】
次に、本実施の形態の光ピックアップ１４について説明する。
図２は光ピックアップ１４の構成を示す斜視図である。
図２に示すように、光ディスク装置１０の筐体を構成するフレーム上で、光ディスク２の記録面と平行する平面上において互いに間隔をおいて平行するメインガイド軸４０、サブガイド軸４２が設けられている。
光ピックアップ１４は板状のスライドベース３８を含んで構成され、スライドベース３８の両側に設けられた軸受け部３８０２、３８０４にメインガイド軸４０、サブガイド軸４２が挿通されることでスライドベース３８が光ディスク２の半径方向にスライド移動可能に支持されている。
スライドベース３８が光ディスク２に臨む上面には、第１、第２の光源４８Ａ、４８Ｂ（図３）を駆動するためのドライバ４５などの電子部品が実装された基板４４と、ハウジング４６とが組み付けられている。
言い換えると、基板４４は、後述する第１の光源４８Ａと光ディスク２との間に配置されている。
光ピックアップ１４の光学系１５（図３）はスライドベース３８およびハウジング４６に組み込まれている。
光学系１５のうち後述する対物レンズ６０は、ハウジング４６の開口を介して光ディスク２に臨むように設けられている。
【００１１】
図３は光ピックアップ１４の光学系１５を光ディスク２側から見た平面図、図４は図３のＡ矢視図、図５は図３のＢ矢視図である。
図３、図４、図５に示すように、光ピックアップ１４の光学系１５は、第１、第２の光源４８Ａ、４８Ｂ、第１、第２の回折格子５０Ａ、５０Ｂ、ダイクロイックプリズム５２、ビームスプリッタプレート５４、コリメータレンズ５６、位相差ミラー５８、対物レンズ６０、ＰＤＩＣ６２などを含んで構成されている。
【００１２】
第１、第２の光源４８Ａ、４８Ｂは互いに波長が異なる直線偏光の光ビームを出射するものであり、言い換えると、第１の光源４８Ａは第１の波長を有する直線偏光の第１の光ビームを出射し、第２の光源４８Ｂは第１の波長と異なる第２の波長を有する直線偏光の第２の光ビームを出射する。
本実施の形態では、第１、第２の光源４８Ａ、４８Ｂは半導体レーザで構成され、第１の光源４８Ａは第１の光ビームとしてＣＤ用の波長の光ビームを出射し、第２の光源４８Ｂは第２の光ビームとして第１の光ビームよりも波長が短いＤＶＤ用の波長の光ビームを出射する。なお、第１の光源４８Ａが第１の光ビームとしてＢＤ用の波長の光ビームを出射し、第２の光源４８Ｂが第２の光ビームとして第１の光ビームよりも波長が長いＣＤ用、ＤＶＤ用の波長の光ビームを出射するようにしてもよく、また、第１、第２の光源４８Ａ，４８Ｂの位置を入れ替えてもよく、第１、第２の光源４８Ａ、４８Ｂの光ビームの波長と配置位置は任意である。
第１、第２の光源４８Ａ、４８Ｂは、レーザダイオードのチップを収容保持する矩形板状のパッケージ４８０２を有し、パッケージ４８０２は厚さと厚さよりも大きな寸法の幅と幅よりも大きな寸法の長さとを有している。
パッケージ４８０２の長さ方向の一端に位置する側面が光ビームの出射面４８０４として形成されている。
パッケージ４８０２の長さ方向の他端に位置する側面には、複数の接続端子４８０６が幅方向に間隔をおいて突設されている。
接続端子４８０６は、図２に示すように、フレキシブル基板４８１０および基板４４を介してドライバ４５に電気的に接続されている。
ドライバ４５からの駆動信号が接続端子４８０６に供給されることで第１、第２の光源４８Ａ、４８Ｂが駆動され、光ビームが出射面４８０４から出射されるように構成されている。
本実施の形態では、第１、第２の光源４８Ａ、４８Ｂから出射される直線偏光の偏光方向は、パッケージ４８０２の幅方向と平行している。
第１、第２の光源４８Ａ、４８Ｂはスライドベース３８に組み込まれている。
また、図８に示すように、第２の光源４８Ｂは、接続端子４８０６および接続端子４８０６寄りのパッケージ４８０２部分が基板４４の開口を通って光ディスク２側に突出して光ディスク２に臨むように、パッケージ４８０２の出射面４８０４寄りの部分がスライドベース３８に保持されている。言い換えると、第２の光源４８Ｂは、出射面４８０４と反対に位置するパッケージ４８０２部分に接続端子４８０６が設けられ、この接続端子４８０６および接続端子４８０６寄りのパッケージ４８０２部分が光ディスク２に近い箇所に位置し光ディスク２に臨んでいる。
したがって、第２の光源４８Ｂは、パッケージ４８０２および接続端子４８０６が光ディスク２の回転に伴って生じる空気流が当たる箇所に設けられていることになり、また、図２に示すように、第２の光源４８Ｂはドライバ４５に近接した箇所に配置されていることになる。
【００１３】
図３乃至図５に示すように、第１の光源４８Ａから出射された第１の光ビームが光ディスク２に至る第１の光路と、第２の光源から出射された第２の光ビームが光ディスク２に至る第２の光路とが設けられている。
さらに、第１、第２の光路は、それら光路の途中で交差すると共にその交差した箇所から光ディスク２に至るまでそれら第１の光路と第２の光路とが合わさった第３の光路を有し、第１の光路と第２の光路とが交差した箇所に光路合成用光学素子を構成するダイクロイックプリズム５２が設けられている。
本実施の形態では、第１の光源４８Ａから出射された第１の光ビームがダイクロイックプリズム５２に至る第１の光路部分の光軸と、第２の光源４８Ｂから出射された第２の光ビームがダイクロイックプリズム５２に至る第２の光路部分の光軸とが直交している。
なお、第１の光源４８Ａから出射された第１の光ビームがダイクロイックプリズム５２に至る第１の光路部分の光軸と、第２の光源４８Ｂから出射された第２の光ビームがダイクロイックプリズム５２に至る第２の光路部分の光軸とが直交するか、あるいは、所定角度で交差するかは任意である。
【００１４】
図４に示すように、第１の光路部分の光軸を含み光ディスク２の記録面と平行する平面を第１の仮想平面Ｐ１とし、第１の光路部分の光軸を含み第１の仮想平面Ｐ１に対して４５度の角度で交差する仮想平面を第２の仮想平面Ｐ２とする。
第１の光源４８Ａは第１の仮想平面Ｐ１と第２の仮想平面Ｐ２とが交差する箇所に配置され、第１の光源４８Ａは、第１の光路部分の光軸が、第１、第２の仮想平面Ｐ１、Ｐ２が交差する線上に沿って延在し、かつ、図６に示すように、第１の光源４８Ａの第１の光ビームの偏光方向が第２の仮想平面Ｐ２と平行するように配置されている。
また、第２の光源４８Ｂは第２の仮想平面Ｐ２上に配置され、第２の光源４８Ｂは、第２の光路部分の光軸が第２の仮想平面Ｐ２に沿って延在し、図７に示すように、第２の光源４８Ｂの光ビームの偏光方向が第２の仮想平面Ｐ２と平行するように配置されている。
言い換えると、第２の光源４８Ｂから出射された第２の光ビームがダイクロイックプリズム５２に至る第２の光路部分は第２の仮想平面Ｐ２上を延在しており、したがって、第２の光路部分は、第１の仮想平面Ｐ１に対して交差しており、本実施の形態では、４５度の角度で交差している。
また、第２の光源４８Ｂは、第１の仮想平面Ｐ１と直交する方向において、第１の仮想平面Ｐ１と光ディスク２の記録面との間の箇所に配置されている。
【００１５】
第１の回折格子５０Ａは第１の光源４８Ａから出射される第１の光ビームを回折することで複数の光ビーム、例えば、１つのメインビームと２つのサブビームを生成するものである。
第２の回折格子５０Ｂは第２の光源４８Ｂから出射される第２の光ビームを回折することで複数の光ビーム、例えば、１つのメインビームと２つのサブビームを生成するものである。
第１の回折格子５０Ａは、第１の光源４８Ａ前方の第１の光路部分上に配置され、第２の回折格子５０Ｂは第２の光源４８Ｂ前方の第２の光路部分上に配置されている。
言い換えると、第１の回折格子５０Ａは第１の仮想平面Ｐ１上に配置され、第２の回折格子５０Ｂは第２の仮想平面Ｐ２上に配置されている。
したがって、第２の回折格子５０Ｂは、第１の仮想平面Ｐ１と直交する方向において、第１の仮想平面Ｐ１と光ディスク２との間の箇所に配置されている。
このような回折格子５０Ａ、５０Ｂとして従来公知のさまざまな回折格子が採用可能である。
なお、第１、第２の回折格子５０Ａ、５０Ｂは、トラッキングエラー信号およびフォーカスエラー信号の生成方法に対応して設けられるものであり、トラッキングエラー信号およびフォーカスエラー信号の生成方法によっては省略することができる。
【００１６】
ダイクロイックプリズム５２は、第１の仮想平面Ｐ１上に配置されている。
ダイクロイックプリズム５２は、図３、図６、図７に示すように、第１の光源４８Ａからの第１の光ビームと第２の光源４８Ｂからの第２の光ビームとの双方を同一の光路を介して光ディスク２に導くための光路合成用光学素子を構成するものである。
図６、図７に示すように、ダイクロイックプリズム５２は、本実施の形態では、２つの同形同大の直角プリズムを接合することで構成されキューブ状（立方体状）を呈し、特定の波長の光を反射し、他の波長の光を透過する薄膜５２０２を有している。
本実施の形態では、薄膜５２０２は、第１の光源４８Ａの第１の光ビームを透過し、第２の光源４８Ｂの第２の光ビームを反射するように形成されている。
詳細に説明すると、図６に示すように、ダイクロイックプリズム５２は、第１の光源４８Ａの光ビームが入射される第１の入射面５２Ａと、第１の入射面５２Ａと直交し第２の光源４８Ｂの光ビームが入射される第２の入射面５２Ｂと、第２の入射面５２Ｂと対向し光ビームが出射される出射面５２Ｃと、２つの直角プリズムの接合面、すなわち第１、第２の入射面５２Ａ、５２Ｂおよび出射面５２Ｃの３つの面に対して４５度の角度を持って交差する平面上を延在する接合面５２Ｄとを有し、この接合面５２Ｄに沿って薄膜５２０２が延在形成されている。したがって、第１の光路部分の光軸と第２の光路部分の光軸とは薄膜５２０２上において直交することになる。
【００１７】
ここでＰ偏光とＳ偏光について説明すると、光線と、この光線が入射する面の法線とを含む平面を入射面とした場合に、入射面と平行な方向に偏光方向を有する直線偏光をＰ偏光といい、入射面と直交する方向に偏光方向を有する直線偏光をＳ偏光という。
すなわち、上記薄膜５２０２は次のような光学特性を有している。
薄膜５２０２に対して入射する直線偏光の光ビームがＰ偏光である場合、あるいは、Ｓ偏光である場合には薄膜５２０２を透過あるいは反射した光ビームに対して位相差が加わることがなく、したがって、薄膜５２０２を透過あるいは反射した光ビームは直線偏光のままダイクロイックプリズム５２から出射される。
一方、薄膜５２０２に対して入射する直線偏光の光ビームの偏光方向がＰ偏光とＳ偏光との中間の角度である場合には薄膜５２０２を透過あるいは反射した光ビームに対して位相差が加わり、したがって、薄膜５２０２を透過あるいは反射した光ビームは楕円偏光に変換された状態でダイクロイックプリズム５２から出射される。
本明細書においては、ダイクロイックプリズム５２などの光学素子が、その光学素子を透過あるいは反射した光に位相差を与える性質を有している場合にその光学素子がＰ−Ｓ位相差を有しているという。
したがって、本実施の形態では、ダイクロイックプリズム５２はＰ−Ｓ位相差を有していることになるが、上述したように、薄膜５２０２に対して入射する直線偏光の光ビームがＰ偏光かＳ偏光である場合には上記Ｐ−Ｓ位相差に拘わらず、薄膜５２０２を透過あるいは反射した光ビームは直線偏光が維持される。
一方、薄膜５２０２に対して入射する直線偏光の光ビームの偏光方向がＰ偏光とＳ偏光の中間の角度である場合には上記Ｐ−Ｓ位相差に応じて、薄膜５２０２を透過あるいは反射した光ビームに位相差が与えられ楕円偏光に変換される。
さらに、本実施の形態では、第１、第２の光源４８Ａ、４８Ｂとダイクロイックプリズム５２は、第１の光路を介して薄膜５２０２に入射する入射される第１の光ビームと、第２の光路を介して薄膜５２０２に入射する第２の光ビームとの双方がＰ偏光となるように配置されている。
【００１８】
ビームスプリッタプレート５４は、第３の光路上においてダイクロイックプリズム５２と光ディスク２との間に設けられており、言い換えると、ビームスプリッタプレート５４は、ダイクロイックプリズム５２と位相差ミラー５８との間に設けられている。
また、本実施の形態では、ビームスプリッタプレート５４は第１の仮想平面Ｐ１上に配置されている。
ビームスプリッタプレート５４は、後述する位相差ミラー５８とともに、各光源４８Ａ、４８Ｂからの光ビームを第３の光路を介して光ディスク２に導く光路（往路）と、光ディスク２による反射光ビームをＰＤＩＣ６２に導く光路（復路）とを分離する光アイソレータを構成するものである。
言い換えると、光ディスク２で反射された第１の光ビームまたは第２の光ビームは、光ディスク２からビームスプリッタプレート５４まで第３の光路部分を通り、ビームスプリッタプレート５４を透過したのち第４の光路を通ってＰＤＩＣ６２に導かれることになる。
また、図３に示すように、第１の光源４８Ａからビームスプリッタプレート５４に至る第１の光路部分Ｌ１と、第４の光路とは第１の仮想平面Ｐ１上に（同一平面上に）位置している。
ビームスプリッタプレート５４は、図３に示すように、透明なガラス基材５４Ａの表面に誘電体多層膜あるいは金属薄膜などからなる薄膜５４Ｂが形成されているものであり、この薄膜５４Ｂは、所定の反射率で光を反射しかつ所定の透過率で光を透過する光路分離用光学素子を構成するものである。
本実施の形態では、ビームスプリッタプレート５４はそれに入射する直線偏光の偏光方向に対応して異なる反射率および透過率を有している。
本実施の形態では、ビームスプリッタプレート５４は、第３の光路部分を介して薄膜５４Ｂに入射する第１の光ビームの偏光方向と、第３の光路部分を介して薄膜５４Ｂに入射する第２の光ビームの偏光方向との双方がＰ偏光とＳ偏光との中間の角度である４５度の傾きをもつように配置されている。
【００１９】
ここでビームスプリッタプレート５４の薄膜５４Ｂの反射率および透過率について詳細に説明する。
薄膜５４Ｂの反射率および透過率を下記のとおりとする。
Ｐ偏光に対する反射率：Ｒｐ
Ｓ偏光に対する反射率：Ｒｓ（＞Ｒｐ）
Ｐ偏光に対する透過率：Ｔｐ
Ｓ偏光に対する透過率：Ｔｓ（＜Ｔｐ）
したがって、薄膜５４ＢはＰ偏光に対しては大部分を透過し一部の光を反射し、Ｓ偏光に対しては大部分を反射し一部を透過することになる。
一方、薄膜５４Ｂに対してＰ偏光とＳ偏光の中間の偏光角度、例えば４５度を有する直線偏光が入射した場合の反射率Ｒｘと透過率Ｔｘは概ね次の通りである。
反射率Ｒｘは、反射率Ｒｐと反射率Ｒｓの平均値（（Ｒｐ＋Ｒｓ）／２）となる。
透過率Ｔｘは、透過率Ｔｐと透過率Ｔｓの平均値（（Ｔｐ＋Ｔｓ）／２）となる。
本実施の形態での数値例を示すと以下の通りである。
Ｒｐ＝７７％
Ｒｓ＝８７％
Ｔｐ＝２１．５％
Ｔｓ＝１１．５％
Ｒｘ＝８２％
Ｔｘ＝１６．５％
すなわち、薄膜５４Ｂに対してＰ偏光とＳ偏光の中間の偏光角度の光ビームが入射した場合には、８２％の光ビームが薄膜５４Ｂで反射され、１６．５％の光ビームが薄膜５４Ｂを透過することになる。
なお、薄膜５４Ｂの反射率Ｒｐ、Ｒｓ、透過率Ｔｐ、Ｔｓの数値は設計により任意に設定されるものである。
【００２０】
コリメータレンズ５６は、第３の光路上においてビームスプリッタプレート５４と位相差ミラー５８との間で第１の仮想平面Ｐ１上に配置されている。
コリメータレンズ５６は、第１、第２の光源４８Ａ、４８Ｂから出射されダイクロイックプリズム５２とビームスプリッタプレート５４を介して入射された第１、第２の光ビームを平行光に変換して位相差ミラー５８を介して対物レンズ６０に導くとともに、光ディスク２で反射され対物レンズ６０および位相差ミラー５８を介して導かれた反射光ビーム（第１、第２の光ビーム）を収束してビームスプリッタプレート５４を介してＰＤＩＣ６２に導くものである。
【００２１】
位相差ミラー５８は、第１、第２の光ビームに所定の位相差を付与する位相差付与用光学素子を構成するものであり、第３の光路上においてコリメータレンズ５６の前方で第１の仮想平面Ｐ１上に配置されている。
言い換えると、位相差ミラー５８は、第３の光路で、ビームスプリッタプレート５４と光ディスク２との間に配置されている。
位相差ミラー５８は、コリメータレンズ５６の光軸と対物レンズ６０の光軸とが直交する箇所に配置され、言い換えると、コリメータ５６の光軸に対して４５度の角度を持って上方に向かって（対物レンズ６０に向かって）傾斜して設けられている。
位相差ミラー５８は、透明なガラス基材５８Ａと、ガラス基材５８Ａの背面に形成された反射膜５８Ｂとを備えている。
反射膜５８Ｂは、この反射膜５８Ｂに入射された直線偏光の光ビームに対して１／４波長分の位相差を与えて反射する機能を有するものである。
詳細には、反射膜５８Ｂは、該反射膜５８Ｂに対して入射される直線偏光の偏光方向がＰ偏光とＳ偏光との所定の中間角度、本実施の形態では、４５度である場合に、反射膜５８Ｂに入射された直線偏光の光ビームに対して１／４波長分の位相差を与えることにより、入射された直線偏光を円偏光に変換して反射し後述する対物レンズ６０を介して光ディスク２に照射するものである。
本実施の形態では、位相差ミラー５８は、ビームスプリッタプレート５４で反射された光ビームの偏光方向がＰ偏光とＳ偏光との中間の角度である所定角度（本実施の形態では、４５度）となるように配置されている。
なお、反射膜５８Ｂは該反射膜５８Ｂに入射される直線偏光の偏光方向が前記所定の中間角度に対してずれていると、反射膜５８Ｂに入射された直線偏光の光ビームに対して１／４波長分の位相差からずれた位相差を与えることにより、入射された直線偏光は円偏光ではなく楕円偏光に変換されて反射されることになる。
また、反射膜５８Ｂは、光ディスク２で反射された反射光ビームを後述する対物レンズ６０を介して反射膜５８Ｂに入射される円偏光の光ビームに対して１／４波長分の位相差を与えることにより、入射された円偏光を直線偏光に変換して反射しコリメータレンズ５６に導くものである。
この場合、反射膜５８Ｂによって１／４波長分の位相差が光に付与されることにより、コリメータレンズ５６から反射膜５８Ｂに入射される光ビームの直線偏光の偏光角度と、反射膜５８Ｂからコリメータレンズ５６に反射される光ビーム（反射光ビーム）の直線偏光の偏光角度とは９０度ずれることになる。
なお、反射膜５８Ｂは、例えば、位相差を与える位相差膜と、光を反射する全反射膜とを含んで構成されるなど任意であり、位相差ミラー５８は入射される直線偏光の光ビームに対して１／４波長分の位相差を与えて反射するとともに、入射される円偏光の光ビームに対して１／４波長分の位相差を与えて反射する機能を有していればよく、従来公知のさまざまな位相差ミラー５８が採用可能である。
【００２２】
対物レンズ６０は、第１、第２の光ビームを光ディスク２の記録面に照射するものであり、第３の光路上において位相差ミラー５８と光ディスク２の記録面との間の箇所に配置されている。
したがって、対物レンズ６０は、第１の仮想平面Ｐ１と直交する方向において、第１の仮想平面Ｐ１と光ディスク２との間の箇所に配置されている。
すなわち、対物レンズ６０は、位相差ミラー５８を介して入射された円偏光の光ビームを光ディスク２の記録面に収束することで光ビームに対応したスポットを形成するとともに、光ディスク２の記録面で反射された円偏光の反射光ビームを位相差ミラー５８に導くものである。
【００２３】
ＰＤＩＣ６２は第４の光路上において第１の仮想平面Ｐ１上に配置されている。
ＰＤＩＣ６２は、光ディスク２から位相差ミラー５８、コリメータレンズ５６、ビームスプリッタプレート５４を介して導かれた反射光ビームを受光して受光信号を生成するものであり、受光素子と該受光素子から出力された検出信号を増幅しあるいは演算する電気回路を含んでいる。
また、図３において符号６４は、第１、第２の光源４８Ａ、４８Ｂから出射されビームスプリッタプレート５４を透過した光ビームを受光することで第１、第２の光源４８Ａ、４８Ｂの出射パワーをモニタするためのフロントパワーモニター用の受光素子である。
受光素子６４は第１の仮想平面Ｐ１上に配置されている。
受光素子６４の検出信号はレーザ制御部３６にフィードバックされ第１、第２の光源４８Ａ、４８Ｂの駆動制御に供される。
【００２４】
次に、光学系１５の動作について説明する。
まず、第１の光源４８Ａが動作し、第２の光源４８Ｂが動作しない場合について説明する。
図３乃至図５、図６に示すように、第１の光源４８Ａから出射された直線偏光の第１の光ビームは、第１の光路部分を介して第１の回折格子５０Ａを通過し、ダイクロイックプリズム５２の薄膜５２０２を透過し、第３の光路部分を介してビームスプリッタプレート５４に至りその薄膜５４Ｂで反射される。
薄膜５４Ｂに入射する第１の光ビームの偏光方向はＰ偏向とＳ偏光との中間の４５度の角度をもって傾いているため、光ビームは前述した反射率Ｒｘで反射されることになる。
また、薄膜５４Ｂに入射する第１の光ビームの偏光方向の角度に対して、薄膜５４Ｂで反射された第１の光ビームの偏光方向の角度も同じ角度が維持されている。
薄膜５４Ｂで反射された第１の光ビームはコリメータレンズ５６を通過して位相差ミラー５８で反射される。
この際、第１の光ビームの偏光方向の角度は４５度が維持されているため、位相差ミラー５８によって１／４波長分の位相差が正確に第１の光ビームに付与され、円偏光に変換される。
円偏光に変換された第１の光ビームは対物レンズ６０を介して光ディスク２に照射され、光ディスク２で反射された反射光ビーム（第１の光ビーム）は円偏光の状態で再び位相差ミラー５８で反射される。
この際、反射光ビームは位相差ミラー５８によって１／４波長分の位相差が付与され、位相差ミラー５８に入射した際の直線偏光の偏光方向（第１の光源４８Ａから出射された際の偏光方向）に対して９０度異なる偏光方向の直線偏光の反射光ビームに変換される。
この反射光ビームはコリメータレンズ５６を介してビームスプリッタプレート５４に至り、その薄膜５４Ｂを透過する。
薄膜５４Ｂに入射する反射光ビームの偏光方向はＰ偏向とＳ偏光との中間の角度をもって傾いているため、反射光ビームは前述した透過率Ｔｘで透過されることになる。
透過された反射光ビームは第４の光路を介してＰＤＩＣ６２に導かれＰＤＩＣ６２から検出信号が出力される。
なお、薄膜５４Ｂに入射した反射光ビームの一部は、薄膜５４Ｂにおいて反射率Ｒｘで反射されたのちダイクロイックプリズム５２を介して第１の光源４８Ａに戻り光として戻ることなる。
しかしながら、この反射光ビームは位相差ミラー５８によって第１の光源４８Ａから出射された際の偏光方向に対して９０度異なる偏光方向の直線偏光となっているため、戻り光によって発生するノイズが効果的に抑制されることになる。
【００２５】
次に、第１の光源４８Ａが動作せず、第２の光源４８Ｂが動作する場合について説明する。
図３乃至図５、図７に示すように、第２の光源４８Ｂから出射された直線偏光の第２の光ビームは、第２の光路部分を介して第２の回折格子５０Ｂを通過し、ダイクロイックプリズム５２の薄膜５２０２で反射され、第３の光路部分を介してビームスプリッタプレート５４に至りその薄膜５４Ｂで反射される。
薄膜５４Ｂに入射する第２の光ビームの偏光方向はＰ偏向とＳ偏光との中間の４５度の角度をもって傾いているため、第２の光ビームは前述した反射率Ｒｘで反射されることになる。
また、薄膜５４Ｂに入射する第２の光ビームの偏光方向の角度に対して、薄膜５４Ｂで反射された第２の光ビームの偏光方向の角度も同じ角度が維持されている。
薄膜５４Ｂで反射された第２の光ビームはコリメータレンズ５６を通過して位相差ミラー５８で反射される。
この際、第２の光ビームの偏光方向の角度は４５度が維持されているため、位相差ミラー５８によって１／４波長分の位相差が正確に光ビームに付与され、円偏光に変換される。
円偏光に変換された第２の光ビームは対物レンズ６０を介して光ディスク２に照射され、光ディスク２で反射された反射光ビーム（第２の光ビーム）は円偏光の状態で再び位相差ミラー５８で反射される。
この際、反射光ビームは位相差ミラー５８によって１／４波長分の位相差が付与され、位相差ミラー５８に入射した際の直線偏光の偏光方向（第２の光源４８Ｂから出射された際の偏光方向）に対して９０度異なる偏光方向の直線偏光の反射光ビームに変換される。
この反射光ビームはコリメータレンズ５６を介してビームスプリッタプレート５４に至り、その薄膜５４Ｂを透過する。
薄膜５４Ｂに入射する反射光ビームの偏光方向はＰ偏向とＳ偏光との中間の角度をもって傾いているため、反射光ビームは前述した透過率Ｔｘで透過されることになる。
透過された反射光ビームは第４の光路を介してＰＤＩＣ６２に導かれＰＤＩＣ６２から検出信号が出力される。
なお、薄膜５４Ｂに入射した反射光ビームの一部は、薄膜５４Ｂにおいて反射率Ｒｘで反射されたのちダイクロイックプリズム５２を介して第２の光源４８Ｂに戻り光として戻ることなる。
しかしながら、前述の場合と同様に、反射光ビームは位相差ミラー５８によって第２の光源４８Ｂから出射された際の偏光方向に対して９０度異なる偏光方向の直線偏光となっているため、戻り光によって発生するノイズが効果的に抑制されることになる。
【００２６】
以上説明したように本実施の形態によれば、次の効果が奏される。
第１、第２の光源４８Ａ、４８Ｂから出射され互いに波長が異なる第１、第２の光ビームの偏光方向がダイクロイックプリズム５２の薄膜５２０２に対してＰ偏光となるため、薄膜５２０２を透過あるいは反射された光ビームに対して位相差が付与されず、したがって、位相差ミラー５８による直線偏光から円偏光への変換と、円偏光から直線偏光への変換が確実に行われ、光源から出射される光ビームの偏光方向と戻り光の偏光方向とがなす角度を確実に９０度とすることができる。
したがって、第１、第２の光源４８Ａ、４８Ｂに対する戻り光によって第１、第２の光源４８Ａ、４８Ｂで発生する戻り光ノイズを効果的に抑制でき光ピックアップ１４の性能の向上を図る上で有利となる。
【００２７】
また、１／４波長分の位相差を第１、第２の光ビームに付与する構成として位相差ミラー５８を用いた場合は、１／４波長板を用いる場合に比較して、位相差ミラー５８の光学的な特性上、位相差ミラー５８に対して入射する直線偏光の光ビームの偏光方向の所定角度（４５度）からのずれ量に対して、位相差ミラー５８による直線偏光から円偏光への変換時に楕円偏光となりやすい傾向が顕著である。
しかしながら、本実施の形態では、第１、第２の光源４８Ａ、４８Ｂから出射される第１、第２の光ビームの偏光方向がダイクロイックプリズム５２の薄膜５２０２に対してＰ偏光となることから、ダイクロイックプリズム５２から出射される光ビームに付与される位相差が無いため、上述のような楕円偏光を生じさせることなく位相差ミラー５８を使用することができる。すなわち、第１、第２の光ビームを対物レンズ６０に導く立ち上げミラーと１／４波長板との２つの部品を用いる構成に比較して、単一の位相差ミラー５８を設ければよいので部品点数を削減できコスト低減と小型化を図る上で有利となる。
【００２８】
また本実施の形態では、光ディスク２で反射された第１、第２の光ビームは、光ディスク２からビームスプリッタプレート５４まで第３の光路部分を通り、ビームスプリッタプレート５４を透過したのち第４の光路を通ってＰＤＩＣ６２に導かれ、第１の光源４８Ａからビームスプリッタプレート５４に至る第１の光路部分Ｌ１と、第４の光路Ｌ４とが第１の仮想平面Ｐ１上に位置し、第２の光源４８Ｂから出射された第２の光ビームがダイクロイックプリズム５２に至る第２の光路部分は第１の仮想平面Ｐ１に対して交差している。
したがって、第１の仮想平面Ｐ１と直交する方向において、第１の仮想平面Ｐ１上に配置されたＰＤＩＣ６２と、第２の光源４８Ｂとを離間させことができるため、ＰＤＩＣ６２と第２の光源４８Ｂとのレイアウトの自由度を確保する上で有利となる。
特に、第１の仮想平面Ｐ１上に第２の光源４８ＢとＰＤＩＣ６２とが配置されるレイアウトでは、光学設計上、第２の光源４８ＢとＰＤＩＣ６２との距離が十分に確保できず両者が干渉する場合があるため、光学設計が制約を受ける不利があった。
これに対して、本実施の形態では、そのような光学設計上の制約がなくなるため、光学設計の自由度と光学部品のレイアウトの自由度との双方を確保する上で有利となる。
【００２９】
また、本実施の形態では、上述のように第２の光路部分を第１の仮想平面Ｐ１に対して交差するようにし、第２の光源４８Ｂを第１の光源４８Ａよりも光ディスク２に近い箇所に位置させ、第２の光源４８Ｂのパッケージ４８０２および接続端子４８０６を光ディスク２の回転に伴って発生する空気流が当たる箇所に設けた。
したがって、回転駆動される光ディスク２によって生じる空気流が第２の光源４８Ｂのパッケージ４８０２および接続端子４８０６に当たることで、第２の光源４８Ｂを前記空気流によって効果的に冷却することができ、放熱性を高め、第２の光源４８Ｂの動作の安定化を図る上で有利となる。
また、第２の光源４８Ｂの冷却をするためのヒートシンクや放熱グリスなどを省略することができるので部品コストの削減を図る上でも有利となる。
【００３０】
また、本実施の形態では、第２の光源４８Ｂに駆動信号を供給するドライバ４５が第１の光源４８Ａと光ディスク２との間に配置された基板４４に実装され、上述のように第２の光路部分を第１の仮想平面Ｐ１に対して交差するようにすることで第２の光源４８Ｂをドライバ４５に近接した箇所に配置した。
そのため、第２の光源４８Ｂの接続端子４８０６とドライバ４５とを電気的に接続するフレキシブル基板４８１０を含む配線部分の距離を短縮して前記配線部分の電気抵抗を低減でき、したがって、ドライバ４５から第２の光源４８Ｂに供給される駆動信号を効率よく伝達する上で有利となる。
特に、ドライバ４５から第２の光源４８Ｂに供給される駆動信号に高周波信号が重畳されている場合、この高周波信号の損失の低減を図ることができ駆動信号を効率よく供給する上でより有利となる。
【００３１】
（第２の実施の形態）
次に第２の実施の形態について説明する。
第２の実施の形態は、ビームスプリッタプレートの構成および配置以外は第１の実施の形態と同様であるため、以下では図３乃至図７を流用して説明する。
ビームスプリッタプレート５４は、Ｐ偏光およびＳ偏光の一方を反射し他方を透過する偏光ビームスプリッタで構成されている。
本実施の形態では、ビームスプリッタプレート５４は、Ｐ偏光を反射し、Ｓ偏光を透過するように構成されている。
したがって、ビームスプリッタプレート５４の反射率と透過率は次のようになっている。
Ｐ偏光に対する反射率：Ｒｐ
Ｓ偏光に対する反射率：Ｒｓ（＞＞Ｒｐ）
Ｐ偏光に対する透過率：Ｔｐ
Ｓ偏光に対する透過率：Ｔｓ（＜＜Ｔｐ）
また、ビームスプリッタプレート５４は、第１、第２の光源４８Ａ、４８Ｂからダイクロイックプリズム５２を通過して入射する第１、第２の光ビームの偏光方向がＰ偏光およびＳ偏光の一方となり、かつ、位相差ミラー５８を通過して入射する反射光ビーム（第１、第２の光ビーム）の偏光方向がＰ偏光およびＳ偏光の他方となるように配置されている。
本実施の形態では、ビームスプリッタプレート５４は、第１、第２の光ビームの偏光方向がＳ偏光となり、かつ、位相差ミラー５８を通過して入射する反射光ビーム（第１、第２の光ビーム）の偏光方向がＰ偏光となるように配置されている。
したがって、第１、第２の光源４８Ａ、４８Ｂからダイクロイックプリズム５２を通過してビームスプリッタプレート５４に入射する第１、第２の光ビームの大半がコリメータレンズ５６、位相差ミラー５８、対物レンズ６０を介して光ディスク２に導かれる。
また、光ディスク２で反射され対物レンズ６０、位相差ミラー５８、コリメータレンズ５６を介してビームスプリッタプレート５４に入射する反射光ビーム（第１、第２の光ビーム）は、その大半がビームスプリッタプレート５４を透過してＰＤＩＣ６２に導かれる。
【００３２】
このような構成においても第１の実施の形態と同様の作用効果が奏されることは無論のこと、反射光ビームがビームスプリッタプレート５４を透過する際の透過率を確保する上で有利となり、ＰＤＩＣ６２に導かれる反射光ビームの光量を確保できる。
そのため、第１、第２の光源４８Ａ、４８Ｂの省電力化を図れ、そのため第１、第２の光源４８Ａ、４８Ｂの発熱量の低下を図る上で有利となる。また、ＰＤＩＣ６２で生成される検出信号の大きさを確保でき信号品質の向上を図る上で有利となる。
なお、第２の実施の形態では、ビームスプリッタプレート５４がＳ偏光を反射し、Ｐ偏光を透過するように構成されている場合について説明したが、ビームスプリッタプレート５４がＰ偏光を反射し、Ｓ偏光を透過するように構成されていてもよいことは無論である。
その場合、ビームスプリッタプレート５４の反射率と透過率は次のようにすればよい。
Ｐ偏光に対する反射率：Ｒｐ
Ｓ偏光に対する反射率：Ｒｓ（＜＜Ｒｐ）
Ｐ偏光に対する透過率：Ｔｐ
Ｓ偏光に対する透過率：Ｔｓ（＞＞Ｔｐ）
【００３３】
なお、上述した各実施の形態では、光路合成用光学素子としてダイクロイックプリズム５２を用いた場合について説明した。
光路合成用光学素子としては、このようなダイクロイックプリズム５２の他に、透明な板状の基材の表面にダイクロイックプリズム５２の薄膜５２０２と同様の薄膜を形成したダイクロイックミラーを用いることも考えられる。
前述したように、ダイクロイックプリズム５２は該ダイクロイックプリズム５２（薄膜５２０２）を透過あるいは反射した光に位相差を与える性質（Ｐ−Ｓ位相差）を有しているが、ダイクロイックプリズム５２のＰ−Ｓ位相差はダイクロイックミラーのＰ−Ｓ位相差よりも比較的大きく、言い換えると、ダイクロイックプリズム５２よりもダイクロイックミラーの方が光路合成用光学素子としての光学特性上有利なものとなっている。
しかしながら、ダイクロイックミラーはその外形形状が板状であることからハウジング４６に対する取り付け精度を確保することが難しく調整作業が煩雑で製造コストの低減を図る上で不利がある。
これに対して、ダイクロイックプリズム５２はその外形形状が立方体であることからハウジング４６に対する取り付け精度が確保しやすく調整作業が簡単で済み製造コストの低減を図る上で有利となっている。
すなわち、実施の形態によれば、コスト面で有利なダイクロイックプリズム５２を用いつつ第１、第２の光源で発生する戻り光ノイズを効果的に抑制できる効果が奏される。
【００３４】
また、各実施の形態では、光路合成用光学素子に入射される第１、第２の光ビームがＰ偏光である場合について説明したが、光路合成用光学素子に入射される第１、第２の光ビームをＳ偏光としてもよいことは無論である。
また、各実施の形態では、光路分離用光学素子としてビームスプリッタプレート５４を用いた場合について説明したが、光路分離用光学素子としてはビームスプリッタプリズムなど従来公知のさまざまな光路分離用光学素子が採用可能である。
【００３５】
また、各実施の形態では、位相差付与用光学素子として位相差ミラー５８を用いた場合について説明したが、位相差付与用光学素子としては１／４波長板など従来公知のさまざまな位相差付与用光学素子が採用可能である。
また、位相差付与用光学素子に入射される第１、第２の光ビームの双方の偏光方向の角度がＰ偏光とＳ偏光との中間の４５度となるように構成されている場合について説明した。
しかしながら、第１、第２の光ビームの双方の偏光方向の角度は、位相差付与用光学素子の光学的特性に応じて設定すればよいものであり、位相差付与用光学素子に入射する直線偏光を円偏光に正確に変換し、かつ、位相差付与用光学素子に入射する円偏光を直線偏光を円偏光に正確に変換できる角度に設定されるものであればよく、言い換えると、位相差付与用光学素子に入射する光ビームに対して９０度の位相差を正確に付与するに足る角度であればよい。
【００３６】
また、本実施の形態では、第１の光源４８Ａが第１の波長の光ビームを出射し、第２の光源４８Ｂが第１の波長と異なる第２の波長を有する第２の光ビームを出射する場合について説明したが、第１、第２の光源４８Ａ、４８Ｂの一方、または、双方が、波長が異なる２つの光ビームを選択的に出射することができる構成、いわゆる２つのレーザダイオードのチップを単一のパッケージに収容した１can２波長の構成であっても本発明は無論適用される。
【図面の簡単な説明】
【００３７】
【図１】第１の実施の形態の光ディスク装置１０の構成を示すブロック図である。
【図２】光ピックアップ１４の構成を示す斜視図である。
【図３】光ピックアップ１４の光学系１５を光ディスク２側から見た平面図である。
【図４】図３のＡ矢視図である。
【図５】図３のＢ矢視図である。
【図６】第１の光源４８Ａが動作し第２の光源４８Ｂが動作しない状態の動作説明図である。
【図７】第１の光源４８Ａが動作せず第２の光源４８Ｂが動作した状態の動作説明図である。
【図８】第２の光源４８Ｂの取り付け状態を示す斜視図である。
【符号の説明】
【００３８】
２……光ディスク、１０……光ディスク装置、１４……光ピックアップ、４８Ａ……第１の光源、４８Ｂ……第２の光源、５２……ダイクロイックプリズム、５４……ビームスプリッタプレート、５８……位相差ミラー、６２……ＰＤＩＣ。
【図１】
2008305525.tif 000003
【図２】
2008305525.tif 000004
【図３】
2008305525.tif 000005
【図４】
2008305525.tif 000006
【図５】
2008305525.tif 000007
【図６】
2008305525.tif 000008
【図７】
2008305525.tif 000009
【図８】
2008305525.tif 000010